(57)【要約】【課題】表示部に表示されている情報を後処理装置の近くで作業をしている者の位置から見えやすくする。【解決手段】画像形成装置１００は、画像が形成された記録媒体に対して後処理を行う後処理装置１５０を接続可能な本体９０と、本体９０に設けられ、後処理装置１５０で故障が発生した場合に後処理装置１５０の修理情報が表示される操作パネル１０と、画像形成装置１００を制御する制御部とを備える。制御部は、後処理装置１５０で発生した故障を検出し、故障が検出された後処理装置１５０と本体９０との距離に基づいて、修理情報の表示態様を決定し、決定した態様で修理情報を操作パネル１０に表示する。【選択図】図１
2020187272.tif 000002
【特許請求の範囲】
【請求項１】
画像形成装置であって、
画像が形成された記録媒体に対して後処理を行う後処理装置を接続可能な本体部と、
前記本体部に設けられ、前記後処理装置で故障が発生した場合に前記後処理装置の修理情報が表示される表示部と、
前記画像形成装置を制御する制御部とを備え、
前記制御部は、
前記後処理装置で発生した故障を検出し、
故障が検出された前記後処理装置と前記本体部との距離に基づいて、前記修理情報の表示態様を決定し、
決定した態様で前記修理情報を前記表示部に表示する、画像形成装置。
【請求項２】
前記画像形成装置は、前記後処理装置を複数接続可能であって、
前記制御部は、複数の前記後処理装置のうちから故障が発生した前記後処理装置を特定可能である、請求項１に記載の画像形成装置。
【請求項３】
前記制御部が決定する前記修理情報の表示態様は、前記修理情報の表示サイズである、請求項１または請求項２に記載の画像形成装置。
【請求項４】
前記制御部が決定する前記修理情報の表示態様は、前記修理情報の配置である、請求項１から請求項３のいずれか１項に記載の画像形成装置。
【請求項５】
前記表示部の一部の領域を故障が検出された前記後処理装置の方向へ折り曲げる駆動部をさらに備え、
前記制御部は、故障が検出された前記後処理装置と前記本体部との距離に基づいて、前記表示部の折り曲げ位置を決定し、
前記駆動部は、決定された前記折り曲げ位置で前記表示部を折り曲げ、
前記制御部は、前記表示部の表示領域のうち、前記後処理装置の方向に向いている領域に前記修理情報を表示する、請求項１または請求項２に記載の画像形成装置。
【請求項６】
前記制御部が決定する前記修理情報の表示態様は、前記修理情報の表示サイズである、請求項５に記載の画像形成装置。
【請求項７】
前記駆動部は、前記後処理装置が故障から復帰した場合に、折り曲げられていた前記表示部を折り曲げられる前の状態に復帰させ、
前記制御部は、前記表示部が折り曲げられる前の状態に復帰した場合に、折り曲げられる前の前記表示部に表示していた情報を前記表示部に表示する、請求項５または請求項６に記載の画像形成装置。
【請求項８】
前記表示部は前記画像形成装置に対して回転自在に設けられている、請求項１〜請求項７のいずれか１項に記載の画像形成装置。
【発明の詳細な説明】
【技術分野】
【０００１】
本開示は、画像形成装置に関する。
【背景技術】
【０００２】
画像形成装置の本体の横には、本体での印刷後にステープル、または、Ｚ折りなどの後処理を行う後処理装置が装着されることが多い。特に、ＰＰ機（Production Printer）では、画像形成装置の本体の横幅に比べ何倍もの長さを有する後処理装置が装着される。後処理装置で故障が発生した場合や消耗品の交換が必要になった場合には、操作パネル等の表示部に表示されるインストラクションに従って、後処理装置を修理したり、消耗品を交換したりする作業が必要になる。
【０００３】
しかしながら、現状の画像形成装置においては、表示部が画像形成装置の正面に固定されているため、後処理装置の近くで作業をしている者の位置からでは表示部に表示されている情報が見えづらいという問題がある。そのため、表示部に表示されている情報を後処理装置の近くで作業をしている者から見えやすくする技術が必要とされている。
【０００４】
ディスプレイの表示制御に関し、例えば、特開２０１７−１２９６３０号公報（特許文献１）は、ディスプレイと利用者との距離に応じて、ディスプレイの大きさに相応しい適切な視野角で表示制御する技術を開示している。
【先行技術文献】
【特許文献】
【０００５】
【特許文献１】特開２０１７−１２９６３０号公報
【発明の概要】
【発明が解決しようとする課題】
【０００６】
特開２０１７−１２９６３０号公報に開示された技術によると、ある者が後処理装置の近くで作業をしている場合に他の者が表示部の近くに立っていると、表示部と他の者との距離に基づいて表示制御がなされてしまうため、後処理装置の近くで作業をしている者の位置から見えやすい表示にはならない。
【０００７】
そこで、本開示は、表示部に表示されている情報を後処理装置の近くで作業をしている者の位置から見えやすくすることを一つの目的とする。
【課題を解決するための手段】
【０００８】
ある実施の形態に従う画像形成装置は、画像が形成された記録媒体に対して後処理を行う後処理装置を接続可能な本体部、本体部に設けられ、後処理装置で故障が発生した場合に後処理装置の修理情報が表示される表示部と、画像形成装置を制御する制御部とを備え、制御部は、後処理装置で発生した故障を検出し、故障が検出された後処理装置と本体部との距離に基づいて、修理情報の表示態様を決定し、決定した態様で修理情報を表示部に表示する。
【発明の効果】
【０００９】
本開示によれば、表示部に表示されている情報が後処理装置の近くで作業をしている者の位置から見えやすくなる。
【図面の簡単な説明】
【００１０】
【図１】実施の形態１における画像形成装置を示す図である。
【図２】実施の形態１における画像形成装置のハードウェア構成を示すブロック図である。
【図３】従来の画像形成装置における操作パネルの表示の一例を示す図である。
【図４】実施の形態１における操作パネルの表示の一例を示す図である。
【図５】実施の形態１における制御部による起動処理を示すフローチャートである。
【図６】実施の形態１における制御部による操作パネルの表示を最適化する処理を示すフローチャートである。
【図７】実施の形態２における操作パネルの表示の一例を示す図である。
【図８】実施の形態２における制御部による操作パネルの表示を最適化する処理を示すフローチャートである。
【図９】実施の形態３における操作パネルの表示の一例を示す図である。
【図１０】実施の形態３における制御部による操作パネルの表示を最適化する処理を示すフローチャートである。
【図１１】実施の形態４における画像形成装置を示す図である。
【図１２】実施の形態４における画像形成装置のハードウェア構成を示すブロック図である。
【図１３】実施の形態４における操作パネルの表示の一例を示す図である。
【図１４】実施の形態４における制御部による操作パネルの表示を最適化する処理を示すフローチャートである。
【図１５】実施の形態５における画像形成装置を示す図である。
【発明を実施するための形態】
【００１１】
以下、各実施の形態について、図面を参照しながら詳細に説明する。なお、図中の同一または相当部分については、同一符号を付してその説明は繰り返さない。
【００１２】
［実施の形態１］
図１は、実施の形態１における画像形成装置１００を示す図である。画像形成装置１００は、ＰＰ機（Production Printer）である。しかしながら、画像形成装置１００は、ＰＰ機に限定されるものではなく、スキャナー機能、コピー機能、ファクシミリ機能、ネットワーク機能、ＢＯＸ機能といった複数の機能が搭載された複合機（ＭＦＰ：Multi Function Peripheral）、複写機、プリンター、またはファクシミリといったどのような形態で実装されてもよい。
【００１３】
画像形成装置１００は、本体９０を備えている。本体９０は、プリンター３０と、プリンター３０に用紙を供給するための複数の給紙部９を備えている。
【００１４】
本体９０は、その正面部上方に、操作パネル１０を備える。操作パネル１０は、タッチパネル付の液晶ディスプレイ（ＬＣＤ：Liquid Crystal Display）であり、ユーザーからの各種操作を受け付けるとともに、各種設定画面、または、インストラクションを表示する。インストラクションとは、後処理装置１５１，１５２，１５３，１５４（以下、これらを纏めて後処理装置１５０と記すことがある）で故障が発生した場合の修理に関する情報であり、例えば、故障の発生箇所、故障の内容、修理手順、修理が完了したことを示すメッセージ、消耗品の交換を促すメッセージ、消耗品の交換手順等である。
【００１５】
後処理装置１５０は、本体９０の横に装着される。後処理装置１５０は、プリンター３０で画像を形成された用紙にステープルを施したり、用紙に折り目を付けたり、用紙に穴を開けたりする。後処理装置１５０毎に処理する内容が異なる。画像形成装置１００には後処理装置１５０が４つ装着されているが、ユーザーは用途に合わせて、装着する後処理装置１５０を選択することができる。したがって、後処理装置１５０が１つしか装着されていない場合もあれば、複数装着されている場合もある。
【００１６】
図２は、実施の形態１における画像形成装置１００のハードウェア構成を示すブロック図である。画像形成装置１００は、操作パネル１０、プリンター３０、ハードディスク５０、ネットワークインターフェース６０、および制御部７０を備えている。操作パネル１０、プリンター３０、ハードディスク５０、ネットワークインターフェース６０、および制御部７０は、バス８０を介して接続されている。
【００１７】
操作パネル１０は、先に述べたので、その説明は繰り返さない。
【００１８】
プリンター３０は、ネットワークインターフェース６０を介して受信した画像データに基づいて、用紙上に画像を形成する。
【００１９】
ハードディスク５０は、プログラムや各種データ等を記憶する。
【００２０】
ネットワークインターフェース６０は、ネットワーク９９を介して接続されたＰＣ（図示せず）または他の画像形成装置（図示せず）等の外部装置との間で各種情報を送受信する。
【００２１】
制御部７０は、ＣＰＵ（Central Processing Unit）７１、ＲＯＭ（Read Only Memory）７２、Ｓ−ＲＡＭ（Static Random Access Memory）７３、ＮＶ−ＲＡＭ（Non-Volatile Random Access Memory：不揮発性メモリ）７４等から構成される。
【００２２】
ＣＰＵ７１は、ＲＯＭ７２等に保存されている動作プログラムを実行することにより、画像形成装置１００全体を総括的に制御する。実施の形態１においては、ＣＰＵ７１による動作プログラムの実行により、操作パネル１０の表示が変更される。
【００２３】
ＲＯＭ７２は、ＣＰＵ７１が実行するプログラムやその他のデータを記憶する。Ｓ−ＲＡＭ７３は、ＣＰＵ７１がプログラムを実行する際の作業領域となるものであり、プログラムやプログラムを実行する際のデータ等を一時的に記憶する。ＮＶ−ＲＡＭ７４は、バッテリーでバックアップされた不揮発性メモリであり、画像形成に係わる各種の設定等を記憶する。
【００２４】
なお、画像形成装置１００は、上記構成以外に、外部装置との間で短距離無線通信を行う短距離無線インターフェース、または、無線信号を介して外部装置との間で情報を送受信するＷｉｒｅｌｅｓｓインターフェース等を備えていてもよい。
【００２５】
図３は、従来の画像形成装置における操作パネル１０の表示の一例を示す図である。操作パネル１０には、「パンチキットのくずボックスがいっぱいです。パンチくずを廃棄してください。」といったインストラクションが前面に表示されている。インストラクションの表示前に操作パネル１０に表示されていた画面（例えば、コピーの設定画面）は、インストラクションの背面にグレーアウトした状態（図３上では点線）で操作パネル１０に表示されている。
【００２６】
パンチくずが原因で、画像形成装置が一時的に操作不能な状態となっているので、画像形成装置を操作可能な状態に復帰させるためには、後処理装置１５０を開けてパンチくずを取り除く必要がある。従来においては、インストラクションの表示が小さいため、パンチくずを取り除く作業をしている者の位置からではインストラクションが見えづらかった。
【００２７】
図４は、実施の形態１における操作パネル１０の表示の一例を示す図である。操作パネル１０には、「パンチキットのくずボックスがいっぱいです。パンチくずを廃棄してください。」といったインストラクションが拡大されて表示されている。インストラクションの表示前に操作パネル１０に表示されていた画面（例えば、コピーの設定画面）は、大きさが変更されることなく、グレーアウトした状態（図４上では点線）でインストラクションの背面に表示されている。
【００２８】
パンチくずが原因で、画像形成装置が一時的に操作不能な状態となっているので、画像形成装置を操作可能な状態に復帰させるためには、後処理装置１５０を開けてパンチくずを取り除く必要がある。実施の形態１においては、インストラクションが拡大されて操作パネル１０に表示されるので、パンチくずを取り除く作業をしている者の位置からでもインストラクションが見えやすくなる。
【００２９】
図５は、実施の形態１における制御部７０による起動処理を示すフローチャートである。ＣＰＵ７１がＲＯＭ７２に格納されている所定のプログラムを実行することにより実現される。制御部７０は、画像形成装置１００の主電源がＯＮになったことを契機に、後処理装置１５０と本体９０との距離を算出し、保存する。
【００３０】
ステップＳ５１０において、制御部７０は、主電源がＯＮになったか否かを判定する。制御部７０は、主電源がＯＮになるまでステップＳ５１０を繰り返し、主電源がＯＮになった場合には（ステップＳ５１０においてＹＥＳ）、ステップＳ５２０に移行する。
【００３１】
ステップＳ５２０において、制御部７０は、後処理装置１５０の装着位置を検出する。具体的には、制御部７０は、後処理装置１５０の各々が本体９０から何番目の位置に装着されているかを検出する。
【００３２】
ステップＳ５３０において、制御部７０は、後処理装置１５０の各々と本体９０との距離を算出する。画像形成装置１００には、あらかじめ、後処理装置１５０毎の横幅が登録されており、制御部７０は、その横幅と、ステップＳ５２０において検出した装着位置とに基づいて、後処理装置１５０の各々と本体９０との距離を算出する。
【００３３】
ステップＳ５４０において、制御部７０は、ステップＳ５３０で算出した距離をＳ−ＲＡＭ７３に保存し、図５に示す処理を終了する。なお、制御部７０は、ステップＳ５３０で算出した距離をＮＶ−ＲＡＭ７４またはハードディスク５０に保存してもよい。
【００３４】
以上、図５を参照して説明したように、制御部７０は、画像形成装置１００の主電源がＯＮになったことを契機に、後処理装置１５０と本体９０との距離を算出し、当該距離を保存する。当該距離は、制御部７０による操作パネル１０の表示を最適化する処理において参照される。
【００３５】
図６は、実施の形態１における制御部７０による操作パネル１０の表示を最適化する処理を示すフローチャートである。ＣＰＵ７１がＲＯＭ７２に格納されている所定のプログラムを実行することにより実現される。制御部７０は、後処理装置１５０のいずれかで故障が発生したことを契機に、故障が発生した後処理装置１５０と本体９０との距離に基づいて操作パネル１０の表示を最適化する。
【００３６】
ステップＳ６１０において、制御部７０は、後処理装置１５０で故障が発生しているか否かを判定する。後処理装置１５０で故障が発生している場合には（ステップＳ６１０においてＹＥＳ）、制御部７０は、ステップＳ６２０に移行する。一方、後処理装置１５０で故障が発生していない場合には（ステップＳ６１０においてＮＯ）、制御部７０は、図６に示す処理を終了する。
【００３７】
ステップＳ６２０において、制御部７０は、故障が発生している後処理装置１５０が後処理装置１５１、後処理装置１５２、後処理装置１５３および後処理装置１５４のいずれであるかを特定する。
【００３８】
ステップＳ６３０において、制御部７０は、ステップＳ５３０で算出した距離に基づいて、故障が発生している後処理装置１５０と本体９０との距離を特定する。
【００３９】
ステップＳ６４０において、制御部７０は、ステップＳ６３０において特定した距離に基づいて、操作パネル１０に表示するインストラクションの大きさを決定する。
【００４０】
ステップＳ６５０において、ステップＳ６４０において決定した大きさでインストラクションを操作パネル１０に表示し、インストラクションの表示前に操作パネル１０に表示していた画面をグレーアウトした状態でインストラクションの背面に表示する。
【００４１】
ステップＳ６６０において、制御部７０は、後処理装置１５０が故障から復帰したか否かを判定する。制御部７０は、後処理装置１５０が故障から復帰するまでステップＳ６６０を繰り返し、後処理装置１５０が故障から復帰した場合には（ステップＳ６６０においてＹＥＳ）、処理をステップＳ６７０に移す。
【００４２】
ステップＳ６７０において、制御部７０は、操作パネル１０の表示をインストラクションの表示前の状態に戻し、図６に示す処理を終了する。具体的には、制御部７０は、操作パネル１０からインストラクションを消去し、インストラクションの表示前に操作パネル１０に表示していた画面を操作パネル１０に表示する。
【００４３】
従来においては、インストラクションの表示が小さいため、後処理装置１５０の近くで作業をしている者の位置からでは操作パネル１０に表示されているインストラクションが見えづらかった。しかし、制御部７０は、図６の処理を実行して、故障が発生している後処理装置１５０と本体９０との距離に基づいて、操作パネル１０に表示するインストラクションの大きさを決定する。これにより、後処理装置１５０の近くで作業をしている者の位置からでもインストラクションが見えやすくなるので、後処理装置１５０での作業が円滑になる。
【００４４】
［実施の形態２］
次に、実施の形態２について説明する。実施の形態１においては、制御部７０は、故障が発生している後処理装置１５０と本体９０との距離に基づいて、操作パネル１０に表示するインストラクションの大きさを決定した。これに対し、実施の形態２においては、制御部は、故障が発生している後処理装置と本体との距離に基づいて、操作パネルに表示するインストラクションの配置を決定する。なお、実施の形態１と同様の構成については同じ符号を付して、その説明は繰り返さない。
【００４５】
図７は、実施の形態２における操作パネル１０の表示の一例を示す図である。操作パネル１０には、「パンチキットのくずボックスがいっぱいです。パンチくずを廃棄してください。」といったインストラクションが、操作パネル１０の表示領域のうち右寄りの領域に表示されている。インストラクションの表示前に操作パネル１０に表示されていた画面（例えば、コピーの設定画面）は、操作パネル１０には表示されていない。
【００４６】
インストラクションが、操作パネル１０の表示領域のうち右寄りの領域に表示されているのは、後処理装置１５０が本体９０の左側に装着されているためである。これにより、後処理装置１５０の位置からでも操作パネル１０に表示されている情報が見えやすくなる。仮に、後処理装置１５０が本体９０の右側に装着されている場合には、操作パネル１０の表示領域のうち左寄りの領域にインストラクションが表示される。
【００４７】
パンチくずが原因で、画像形成装置が一時的に操作不能な状態となっているので、画像形成装置を操作可能な状態に復帰させるためには、後処理装置１５０を開けてパンチくずを取り除く必要がある。実施の形態２においては、インストラクション以外の情報は消去され、インストラクションが、操作パネル１０の表示領域のうち右寄りの領域に表示されるので、パンチくずを取り除く作業をしている者の位置からでもインストラクションが見えやすくなる。
【００４８】
図８は、実施の形態２における制御部７０による操作パネル１０の表示を最適化する処理を示すフローチャートである。ＣＰＵ７１がＲＯＭ７２に格納されている所定のプログラムを実行することにより実現される。制御部７０は、後処理装置１５０のいずれかで故障が発生したことを契機に、故障が発生した後処理装置１５０と本体９０との距離に基づいて操作パネル１０の表示を最適化する。
【００４９】
ステップＳ８１０において、制御部７０は、後処理装置１５０で故障が発生しているか否かを判定する。後処理装置１５０で故障が発生している場合には（ステップＳ８１０においてＹＥＳ）、制御部７０は、ステップＳ８２０に移行する。一方、後処理装置１５０で故障が発生していない場合には（ステップＳ８１０においてＮＯ）、制御部７０は、図８に示す処理を終了する。
【００５０】
ステップＳ８２０において、制御部７０は、故障が発生している後処理装置１５０が後処理装置１５１、後処理装置１５２、後処理装置１５３および後処理装置１５４のいずれであるかを特定する。
【００５１】
ステップＳ８３０において、制御部７０は、ステップＳ５３０で算出した距離に基づいて、故障が発生している後処理装置１５０と本体９０との距離を特定する。
【００５２】
ステップＳ８４０において、制御部７０は、ステップＳ８３０において特定した距離に基づいて、操作パネル１０に表示するインストラクションの配置を決定する。
【００５３】
ステップＳ８５０において、制御部７０は、ステップＳ８４０において決定した配置でインストラクションを操作パネル１０に表示し、インストラクションの表示前に操作パネル１０に表示していた画面を消去する。
【００５４】
ステップＳ８６０において、制御部７０は、後処理装置１５０が故障から復帰したか否かを判定する。制御部７０は、後処理装置１５０が故障から復帰するまでステップＳ８６０を繰り返し、後処理装置１５０が故障から復帰した場合には（ステップＳ８６０においてＹＥＳ）、処理をステップＳ８７０に移す。
【００５５】
ステップＳ８７０において、制御部７０は、操作パネル１０の表示をインストラクションの表示前の状態に戻し、図８に示す処理を終了する。具体的には、制御部７０は、操作パネル１０からインストラクションを消去し、インストラクションの表示前に操作パネル１０に表示していた画面を操作パネル１０に表示する。
【００５６】
従来においては、インストラクションの表示が小さいため、後処理装置１５０の近くで作業をしている者の位置からでは操作パネル１０に表示されているインストラクションが見えづらかった。しかし、制御部７０は、図８の処理を実行し、故障が発生している後処理装置１５０と本体９０との距離に基づいて、操作パネル１０に表示するインストラクションの配置を決定する。これにより、後処理装置１５０の近くで作業をしている者の位置からでもインストラクションが見えやすくなるので、後処理装置１５０での作業が円滑になる。
【００５７】
［実施の形態３］
次に、実施の形態３について説明する。実施の形態３は、実施の形態１と実施の形態２とを組み合わせた形態である。実施の形態１においては、制御部７０は、故障が発生している後処理装置１５０と本体９０との距離に基づいて、操作パネル１０に表示するインストラクションの大きさを決定した。実施の形態２においては、制御部７０は、故障が発生している後処理装置１５０と本体９０との距離に基づいて、操作パネル１０に表示するインストラクションの配置を決定した。これに対し、実施の形態３においては、制御部は、故障が発生している後処理装置と本体との距離に基づいて、操作パネルに表示するインストラクションの大きさ、および、操作パネルに表示するインストラクションの配置を決定する。なお、実施の形態１と同様の構成については同じ符号を付して、その説明は繰り返さない。
【００５８】
図９は、実施の形態３における操作パネル１０の表示の一例を示す図である。操作パネル１０には、「パンチキットのくずボックスがいっぱいです。パンチくずを廃棄してください。」といったインストラクションが、操作パネル１０の表示領域のうち右寄りの領域に拡大されて表示されている。インストラクションの表示前に操作パネル１０に表示されていた画面（例えば、コピーの設定画面）は、操作パネル１０には表示されていない。
【００５９】
インストラクションが、操作パネル１０の表示領域のうち右寄りの領域に表示されているのは、後処理装置１５０が本体９０の左側に装着されているためである。これにより、後処理装置１５０の位置からでも操作パネル１０に表示されている情報が見えやすくなる。仮に、後処理装置１５０が本体９０の右側に装着されている場合には、操作パネル１０の表示領域のうち左寄りの領域にインストラクションが表示される。
【００６０】
パンチくずが原因で、画像形成装置が一時的に操作不能な状態となっているので、画像形成装置を操作可能な状態に復帰させるためには、後処理装置１５０を開けてパンチくずを取り除く必要がある。実施の形態３においては、インストラクション以外の情報は消去され、インストラクションが操作パネル１０の表示領域のうち右寄りの領域に拡大されて表示されるので、パンチくずを取り除く作業をしている者の位置からでもインストラクションが見えやすくなる。
【００６１】
図１０は、実施の形態３における制御部７０による操作パネル１０の表示を最適化する処理を示すフローチャートである。ＣＰＵ７１がＲＯＭ７２に格納されている所定のプログラムを実行することにより実現される。制御部７０は、後処理装置１５０のいずれかで故障が発生したことを契機に、故障が発生した後処理装置１５０と本体９０との距離に基づいて操作パネル１０の表示を最適化する。
【００６２】
ステップＳ１０１０において、制御部７０は、後処理装置１５０で故障が発生しているか否かを判定する。後処理装置１５０で故障が発生している場合には（ステップＳ１０１０においてＹＥＳ）、制御部７０は、ステップＳ１０２０に移行する。一方、後処理装置１５０で故障が発生していない場合には（ステップＳ１０１０においてＮＯ）、制御部７０は、図１０に示す処理を終了する。
【００６３】
ステップＳ１０２０において、制御部７０は、故障が発生している後処理装置１５０が後処理装置１５１、後処理装置１５２、後処理装置１５３および後処理装置１５４のいずれであるかを特定する。
【００６４】
ステップＳ１０３０において、制御部７０は、ステップＳ５３０で算出した距離に基づいて、故障が発生している後処理装置１５０と本体９０との距離を特定する。
【００６５】
ステップＳ１０４０において、制御部７０は、ステップＳ１０３０において特定した距離に基づいて、操作パネル１０に表示するインストラクションの大きさ、および、操作パネル１０に表示するインストラクションの配置を決定する。
【００６６】
ステップＳ１０５０において、制御部７０は、ステップＳ１０４０において決定した大きさ、および、ステップＳ１０４０において決定した配置でインストラクションを操作パネル１０に表示し、インストラクションの表示前に操作パネル１０に表示されていた画面を消去する。
【００６７】
ステップＳ１０６０において、制御部７０は、後処理装置１５０が故障から復帰したか否かを判定する。制御部７０は、後処理装置１５０が故障から復帰するまでステップＳ１０６０を繰り返し、後処理装置１５０が故障から復帰した場合には（ステップＳ１０６０においてＹＥＳ）、処理をステップＳ１０７０に移す。
【００６８】
ステップＳ１０７０において、制御部７０は、操作パネル１０の表示をインストラクションの表示前の状態に戻し、図１０に示す処理を終了する。具体的には、制御部７０は、操作パネル１０からインストラクションを消去し、インストラクションの表示前に操作パネル１０に表示していた画面を操作パネル１０に表示する。
【００６９】
従来においては、インストラクションの表示が小さいため、後処理装置１５０の近くで作業をしている者の位置からでは操作パネル１０に表示されているインストラクションが見えづらかった。しかし、制御部７０は、図１０の処理を実行し、故障が発生している後処理装置１５０と本体９０との距離に基づいて、操作パネル１０に表示するインストラクションの大きさ、および、操作パネル１０に表示するインストラクションの配置を決定する。これにより、後処理装置１５０の近くで作業をしている者の位置からでもインストラクションが見えやすくなるので、後処理装置１５０での作業が円滑になる。
【００７０】
［実施の形態４］
次に、実施の形態４について説明する。実施の形態１〜実施の形態３においては、操作パネル１０は折れ曲がらなかった。これに対し、実施の形態４においては、操作パネルが折れ曲がる。故障が発生している後処理装置と本体との距離に基づいて、操作パネルの折り曲げ位置が決定され、操作パネルの表示領域のうち、故障が発生している後処理装置の方向に向く領域にインストラクションが表示される。なお、実施の形態１と同様の構成については同じ符号を付して、その説明は繰り返さない。
【００７１】
図１１および図１２を参照して、実施の形態４における操作パネルについて説明する。図１１は、実施の形態４における画像形成装置１００Ａを示す図である。図１２は、実施の形態４における画像形成装置１００Ａのハードウェア構成を示すブロック図である。
【００７２】
画像形成装置１００Ａは、本体９０の正面部上方に、操作パネル１０Ａを備える。操作パネル１０Ａは、タッチパネル付の液晶ディスプレイ（ＬＣＤ：Liquid Crystal Display）であり、ユーザーからの各種操作を受け付けるとともに、各種設定画面、または、インストラクションを表示する。インストラクションとは、後処理装置１５０で故障が発生した場合の修理に関する情報であり、例えば、故障の発生箇所、故障の内容、修理手順、修理が完了したことを示すメッセージ、消耗品の交換を促すメッセージ、消耗品の交換手順等である。
【００７３】
図１１に示すように、操作パネル１０Ａは、後処理装置１５０で故障が発生した場合に、故障が発生した後処理装置１５０の方向に向けて折れ曲がる。図１２に示す駆動部１５は、制御部７０から指示された折り曲げ位置で操作パネル１０Ａを折り曲げる。これにより、操作パネル１０Ａは、故障が発生した後処理装置１５０の方向に向けて折れ曲がる。
【００７４】
図１３は、実施の形態４における操作パネル１０Ａの表示の一例を示す図である。図１３に示す１点鎖線Ｐ１は、折り曲げ位置を示している。折り曲げ位置は、故障が発生している後処理装置１５０と本体９０との距離に基づいて決定される。例えば、故障が発生している後処理装置１５０と本体９０との距離が長ければ、操作パネル１０Ａの表示領域のうち、故障が発生した後処理装置１５０の方向に向く領域Ｓ１が広くなるように折り曲げ位置が決定される。一方、故障が発生している後処理装置１５０と本体９０との距離が短ければ、操作パネル１０Ａの表示領域のうち、故障が発生した後処理装置１５０の方向に向く領域Ｓ１が狭くなるように折り曲げ位置が決定される。
【００７５】
操作パネル１０Ａの表示領域のうち、故障が発生した後処理装置１５０の方向に向いている領域Ｓ１には、「パンチキットのくずボックスがいっぱいです。パンチくずを廃棄してください。」といったインストラクションが拡大されて表示されている。インストラクションの表示前に操作パネル１０Ａに表示されていた画面（例えば、コピーの設定画面）は、領域Ｓ１には表示されていない。
【００７６】
一方、操作パネル１０Ａの表示領域のうち、故障が発生した後処理装置１５０の方向に向いていない領域Ｍ１では、画面が消灯している。なお、領域Ｍ１には、メンテナンス中であることを示すメッセージが表示されてもよい。
【００７７】
パンチくずが原因で、画像形成装置が一時的に操作不能な状態となっているので、画像形成装置を操作可能な状態に復帰させるためには、後処理装置１５０を開けてパンチくずを取り除く必要がある。実施の形態４においては、操作パネル１０Ａが故障が発生した後処理装置１５０の方向に折れ曲がり、故障が発生した後処理装置１５０の方向に向いている領域Ｓ１にインストラクションが拡大されて表示されるので、パンチくずを取り除く作業をしている者の位置からでもインストラクションが見えやすくなる。
【００７８】
図１４は、実施の形態４における制御部７０による操作パネル１０Ａの表示を最適化する処理を示すフローチャートである。ＣＰＵ７１がＲＯＭ７２に格納されている所定のプログラムを実行することにより実現される。制御部７０は、後処理装置１５０のいずれかで故障が発生したことを契機に、故障が発生した後処理装置１５０と本体９０との距離に基づいて操作パネル１０Ａを折り曲げ、かつ、操作パネル１０Ａの表示を最適化する。
【００７９】
ステップＳ１４１０において、制御部７０は、後処理装置１５０で故障が発生しているか否かを判定する。後処理装置１５０で故障が発生している場合には（ステップＳ１４１０においてＹＥＳ）、制御部７０は、ステップＳ１４２０に移行する。一方、後処理装置１５０で故障が発生していない場合には（ステップＳ１４１０においてＮＯ）、制御部７０は、図１４に示す処理を終了する。
【００８０】
ステップＳ１４２０において、制御部７０は、故障が発生している後処理装置１５０が後処理装置１５１、後処理装置１５２、後処理装置１５３および後処理装置１５４のいずれであるかを特定する。
【００８１】
ステップＳ１４３０において、制御部７０は、ステップＳ５３０で算出した距離に基づいて、故障が発生している後処理装置１５０と本体９０との距離を特定する。
【００８２】
ステップＳ１４３５において、制御部７０は、ステップＳ１４３０において特定した距離に基づいて、操作パネル１０Ａの折り曲げ位置を決定し、駆動部１５へ指示する。これにより、駆動部１５は、制御部７０から指示された折り曲げ位置で操作パネル１０Ａを折り曲げる。
【００８３】
ステップＳ１４３７において、制御部７０は、操作パネル１０Ａの表示領域を折り曲げ位置を境に分割する。具体的には、制御部７０は、操作パネル１０Ａの表示領域を、故障が発生した後処理装置１５０の方向に向いている領域Ｓ１と、故障が発生した後処理装置１５０の方向に向いていない領域Ｍ１とに分割する。
【００８４】
ステップＳ１４４０において、制御部７０は、ステップＳ１４３０において特定した距離に基づいて、操作パネル１０Ａに表示するインストラクションの大きさを決定する。
【００８５】
ステップＳ１４５０において、制御部７０は、インストラクションの表示前に操作パネル１０Ａに表示していた画面を消去し、ステップＳ１４４０において決定した大きさでインストラクションを領域Ｓ１に表示する。さらに、制御部７０は、領域Ｍ１の画面を消灯させる。
【００８６】
ステップＳ１４６０において、制御部７０は、後処理装置１５０が故障から復帰したか否かを判定する。制御部７０は、後処理装置１５０が故障から復帰するまでステップＳ１４６０を繰り返し、後処理装置１５０が故障から復帰した場合には（ステップＳ１４６０においてＹＥＳ）、処理をステップＳ１４６５に移す。
【００８７】
ステップＳ１４６５において、制御部７０は、操作パネル１０Ａの折り曲げ状態の解除を駆動部１５へ指示する。
【００８８】
ステップＳ１４７０において、制御部７０は、操作パネル１０Ａの表示をインストラクションの表示前の状態に戻し、図１４に示す処理を終了する。具体的には、制御部７０は、操作パネル１０Ａからインストラクションを消去し、操作パネル１０Ａの分割表示を解除する。さらに、制御部７０は、折り曲げられる前の操作パネル１０Ａに表示していた画面を操作パネル１０Ａに表示する。
【００８９】
従来においては、インストラクションの表示が小さいため、後処理装置１５０の近くで作業をしている者の位置からでは操作パネル１０Ａに表示されているインストラクションが見えづらかった。しかし、制御部７０は、図１４の処理を実行して、故障が発生した後処理装置１５０と本体９０との距離に基づいて、操作パネル１０Ａを折り曲げ、操作パネル１０Ａの表示領域のうち、故障が発生した後処理装置１５０の方向に向いている領域Ｓ１に、インストラクションを拡大させて表示する。これにより、後処理装置１５０の近くで作業をしている者の位置からでもインストラクションが見えやすくなるので、後処理装置１５０での作業が円滑になる。
【００９０】
［実施の形態５］
次に、実施の形態５について説明する。実施の形態１〜実施の形態４において、操作パネル１０，１０Ａは画像形成装置１００、１００Ａに対して回転不能な状態で設けられていた。これに対し、実施の形態５において、操作パネルは画像形成装置に対して回転自在に設けられている。なお、実施の形態１〜実施の形態４と同様の構成については同じ符号を付して、その説明は繰り返さない。
【００９１】
図１５は、実施の形態５における画像形成装置１００Ｂを示す図である。画像形成装置１００Ｂは、本体９０の正面部上方に、操作パネル１０Ｂを備える。操作パネル１０Ｂは、支柱１０２に支えられた状態で本体９０に装着されている。操作パネル１０Ｂは、支柱１０２を回転軸として図１５に示す矢印の方向に回転可能である。
【００９２】
操作パネル１０Ｂは、タッチパネル付の液晶ディスプレイ（ＬＣＤ：Liquid Crystal Display）であり、ユーザーからの各種操作を受け付けるとともに、各種設定画面、または、インストラクションを表示する。インストラクションとは、後処理装置１５０で故障が発生した場合の修理に関する情報であり、例えば、故障の発生箇所、故障の内容、修理手順、修理が完了したことを示すメッセージ、消耗品の交換を促すメッセージ、消耗品の交換手順等である。
【００９３】
なお、操作パネル１０Ｂは、操作パネル１０Ａのように、後処理装置１５０で故障が発生した場合に、故障が発生した後処理装置１５０の方向に向けて折れ曲がってもよい。制御部７０は、故障が発生している後処理装置１５０と本体９０との距離に基づいて、操作パネル１０Ｂの折り曲げ位置を決定する。駆動部１５は、制御部７０から指示された折り曲げ位置で操作パネル１０Ｂを折り曲げる。これにより、操作パネル１０Ｂは、故障が発生した後処理装置１５０の方向に向けて折れ曲がる。
【００９４】
制御部７０は、後処理装置１５０のいずれかで故障が発生した場合には、図６、図８、図１０、または図１４で示した処理を行うことにより、操作パネル１０Ｂの表示の最適化を行う。
【００９５】
従来においては、インストラクションの表示が小さいため、後処理装置１５０の近くで作業をしている者の位置からでは操作パネル１０Ｂに表示されているインストラクションが見えづらかった。しかし、制御部７０による、図６、図８、図１０、または図１４で示した表示の最適化処理に加え、操作パネル１０Ｂが回転可能であることから、操作パネル１０Ｂが、後処理装置１５０の近くで作業をしている者の方へより向きやすくなる。その結果、後処理装置１５０の近くで作業をしている者の位置からでもインストラクションが見えやすくなるので、後処理装置１５０での作業が円滑になる。
【００９６】
以上、各実施の形態について説明した。実施の形態１〜実施の形態４において、「パンチキットのくずボックスがいっぱいです。パンチくずを廃棄してください。」といったインストラクションを一例として挙げたが、インストラクションはこれに限られない。インストラクションは、後処理装置１５０で故障が発生した場合の修理に関する情報であればよく、例えば、故障の発生箇所、故障の内容、修理手順、修理が完了したことを示すメッセージ、消耗品の交換を促すメッセージ、消耗品の交換手順等でもよい。
【００９７】
また、実施の形態１〜実施の形態５において、制御部７０は、インストラクションを操作パネル１０，１０Ａ，１０Ｂに表示した。しかしながら、画像形成装置１００，１００Ａ，１００Ｂが操作パネル１０，１０Ａ，１０Ｂ以外に他の表示装置を備える場合には、制御部７０は、インストラクションを他の表示装置に表示してもよい。
【００９８】
また、実施の形態１〜実施の形態５において、制御部７０は、後処理装置１５０のいずれかで故障が発生したことを契機に、故障が発生した後処理装置１５０と本体９０との距離に基づいて操作パネル１０，１０Ａ，１０Ｂの表示を最適化した。これに替えて、制御部７０は、後処理装置１５０のいずれかで消耗品の交換が必要になったことを契機に、消耗品の交換が必要になった後処理装置１５０と本体９０との距離に基づいて操作パネル１０，１０Ａ，１０Ｂの表示を最適化してもよい。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１００】
１０，１０Ａ，１０Ｂ  操作パネル、１５  駆動部、７０  制御部、７１  ＣＰＵ、７２  ＲＯＭ、９０  本体、１００，１００Ａ，１００Ｂ  画像形成装置、１５０，１５１，１５２，１５３，１５４  後処理装置。
【図１】
2020187272.tif 000003
【図２】
2020187272.tif 000004
【図３】
2020187272.tif 000005
【図４】
2020187272.tif 000006
【図５】
2020187272.tif 000007
【図６】
2020187272.tif 000008
【図７】
2020187272.tif 000009
【図８】
2020187272.tif 000010
【図９】
2020187272.tif 000011
【図１０】
2020187272.tif 000012
【図１１】
2020187272.tif 000013
【図１２】
2020187272.tif 000014
【図１３】
2020187272.tif 000015
【図１４】
2020187272.tif 000016
【図１５】
2020187272.tif 000017